(57)【特許請求の範囲】
【請求項１】
ドア枠と、該ドア枠を開閉する扉体からなる扉装置において、前記ドア枠の戸先側の壁面に設けられるエントランスパネルの取付構造であって、
エントランスパネルは、玄関備品が取り付けられる面部と、ドア枠の上下枠間の寸法に対応する高さの部分を備えた戸先側の側面と、を有し、
エントランスパネルは、前記側面の部分がドア枠の上枠と下枠との間に差し込まれることで上下位置が決定され、上下位置が決定された状態で、前記戸先側の側面の先端が前記扉体の戸先側の突片を越えて室内側へ延出することで、前記戸先側の側面と前記突片の先端との対向間にドアチリが形成されており、
エントランスパネルは、上下位置が決定された状態で、前記ドアチリの調整ができるように、左右方向に移動可能であり、
エントランスパネルは、左右方向の位置決めがされた状態で、着脱可能な面着手段によって壁面に仮固定され、かつ、止着手段によって壁面に固定されている、
扉装置におけるエントランスパネルの取付構造。
【請求項２】
前記ドア枠の戸先側縦枠の室外側部位は、ドア開口部寄りの第１見付面と、第１見付面の先端から室外側に延出する第１見込面と、第１見込面の先端から前記第１見付面とは反対側に延出する第２見付面と、を有し、
前記エントランスパネルの面部の戸先側部位は前記第２見付面を越えて延出することで、前記エントランスパネルの前記戸先側の側面の内側面と前記第１見込面とは隙間を存して対向しており、前記ドアチリの調整ができるように、上下位置が決定された状態で前記隙間の寸法が可変である、
請求項１に記載の扉装置におけるエントランスパネルの取付構造。
【請求項３】
前記エントランスパネルの面部の裏面には係止片が設けられ、前記壁面には前記係止片が上側から掛止する被係止片が設けられている、請求項１、２いずれかに記載の扉装置におけるエントランスパネルの取付構造。
【請求項４】
前記面着手段は面ファスナーであり、前記エントランスパネルは、上端部位、下端部位において当該面ファスナーによって壁面に仮固定されており、
前記止着手段は螺子であり、前記エントランスパネルは、面部に取り付けられる玄関備品に対応する高さ位置において当該螺子によって壁面に固定されており、当該螺子は前記玄関備品によって隠蔽されている、請求項１乃至３いずれかに記載の扉装置におけるエントランスパネルの取付構造。
【発明の詳細な説明】
【技術分野】
【０００１】
本発明は、エントランスパネルの取付構造に関するものである。
【背景技術】
【０００２】
マンション等の玄関ドアの戸先側の袖面にエントランスパネルを設ける場合がある。エントランスパネルには、照明、室名札、インターフォン、新聞受け等の玄関備品が備わっている。
【０００３】
このようなエントランスパネルの取付構造が特許文献１に記載されている。具体的には、エントランスパネルの一側縁に、ドア枠の戸先側縦枠の突出部に係合可能な係合片を設け、袖壁の表面には前記係合片が突出部に係合する状態でエントランスパネルに設けられた複数の螺子挿入孔と対応する位置にアンカを埋め込み、前記各螺子挿入孔から各アンカにねじ込まれる螺子の締付けによってエントランスパネルを固定してなる。
【０００４】
しかしながら、このものでは、エントランスパネルの係合片を戸先側縦枠の突出部に係合させることで位置決めを行っているため、エントランスパネルの左右方向（幅方向）の位置調整を行なうことができない。
【０００５】
しかしながら、ドア枠および扉体の取付精度によっては、扉体の戸先側の隙間（いわゆるドアの「チリ」）が大きくなったり、戸尻側の隙間とのバランスが悪くなったりすることで扉装置の意匠性を損ねるおそれがある。したがって、エントランスパネルの取付時に、エントランスパネルの左右方向の取付位置を調整できることが望まれる。
【先行技術文献】
【特許文献】
【０００６】
【特許文献１】特許第３８１９００７号
【発明の開示】
【発明が解決しようとする課題】
【０００７】
本発明の目的は、取付時にエントランスパネルの左右方向の位置調整が可能なエントランスパネルの取付構造を提供することにある。
【課題を解決するための手段】
【０００８】
本発明が採用した技術手段は、
ドア枠の戸先側の壁面に設けられるエントランスパネルの取付構造において、
エントランスパネルは、玄関備品が取り付けられる面部と、ドア枠の上下枠間の寸法に対応する高さの部分を備えた戸先側の側面と、を有し、
エントランスパネルは、前記側面の部分がドア枠の上枠と下枠との間に差し込まれることで上下位置が決定され、上下位置が決定された状態で左右方向に移動可能であり、
エントランスパネルは、左右方向の位置決めがされた状態で、着脱可能な面着手段によって壁面に仮固定され、かつ、止着手段によって壁面に固定されている、
エントランスパネルの取付構造、である。
１つの態様では、前記エントランスパネルの側面の上下端部、あるいは上端部が少なくとも部分的に切り欠かれており、上下端部が切り欠かれた残部（例えば、後述する実施形態における水平片１１１、１１３間の部分）あるいは上端部が切り欠かれた残部が上枠と下枠との間に差し込まれる。
【０００９】
１つの態様では、前記ドア枠の戸先側縦枠の室外側部位は、ドア開口部寄りの第１見付面と、第１見付面の先端から室外側に延出する第１見込面と、第１見込面の先端から前記第１見付面とは反対側に延出する第２見付面と、を有し、
前記エントランスパネルの面部の戸先側部位は前記第２見付面を越えて延出することで、前記エントランスパネルの側面の内側面と前記第１見込面とは隙間を存して対向しており、上下位置が決定された状態で前記隙間の寸法が可変である。
【００１０】
１つの態様では、前記エントランスパネルの面部の裏面には係止片が設けられ、前記壁面には前記係止片が掛止する被係止片が設けられている。後述する実施形態では、前記係止片は新聞受けに対応する位置に設けてある。１つの態様では、前記係止片は、新聞受けを固定する螺子を兼用してエントランスパネルの面部に取り付けられる。
【００１１】
１つの態様では、前記面着手段は面ファスナーであり、前記エントランスパネルは、上端部位、下端部位において当該面ファスナーによって壁面に仮固定されており、前記止着手段は螺子であり、前記エントランスパネルは、面部に取り付けられる玄関備品に対応する高さ位置において当該螺子によって壁面に固定されており、当該螺子は前記玄関備品によって隠蔽されている。玄関備品は、後述する実施形態では、室名札、インターフォンである。また、前記着脱可能な面着手段は磁石を用いた手段でもよい。
【発明の効果】
【００１２】
本発明に係る取付構造では、上下位置を決定した状態で、エントランスパネルの左右方向の調整が可能であるので、扉体の戸先側の隙間（いわゆるドアの「チリ」）が大きくなったり、戸尻側の隙間とのバランスが悪くなったりした場合であっても、エントランスパネルを左右方向に移動させることで意匠性を向上させることができる。
本発明に係る取付構造は、着脱可能な面着手段（典型的には面ファスナー）による仮固定手段を備えているので、仮固定後であっても、面着手段による仮固定を解除して、エントランスパネルの左右方向の調整が可能である。
【００１３】
前記エントランスパネルの面部の裏面には係止片が設けられ、前記壁面には前記係止片が掛止する被係止片が設けられているものでは、取付時におけるエントランスパネルの倒れを防止して取付作業性を向上させることができる。
【図面の簡単な説明】
【００１４】
【図１】エントランスパネル及び扉装置の姿図である。
【図２】エントランスパネル及び扉装置の横断面図である。
【図３】エントランスパネル及び扉装置の縦断面図である。
【図４】エントランスパネルの上面図、正面図、側面図、裏面図である。
【図５】エントランスパネルの上下端部の壁面への仮固定手段を説明する図である。
【図６】エントランスパネルの壁面への固定を示す図である。
【図７】エントランスパネルの壁面への固定を示す図である。
【図８】壁面に対する取付ベースおよび被係止片の取り付けを説明する図である。
【図９】ドア枠の戸先側の壁面に対するエントランスパネルの取り付けを説明する図である。
【図１０】壁面に設けた被係止片に対するエントランスパネルの係止片の引っ掛けを説明する図である。
【図１１】エントランスパネルの取付時の位置決めおよび壁面への仮固定を説明する図である。
【図１２】エントランスパネルの壁面への固定を説明する図である。
【発明を実施するための形態】
【００１５】
本発明の実施形態を図面に基づいて詳細に説明する。図１は、本発明の実施形態に係るエントランスパネル１を備えた扉装置の正面図であり、図２は横断面図、図３は縦断面図である。扉装置は、上枠２、下枠３、戸先側縦枠４、戸尻側縦枠５、からなるドア枠と、ドア枠を開閉する扉体６と、かならる。エントランスパネル１は、扉装置の戸先側の壁面Ｗに固定されている。エントランスパネル１の面部１０には、上から順に、照明１ａ、室名札１ｂ、インターフォン１ｃ、新聞受け１ｄが設けてある。以下において、「室外側」、「室内側」は、ある要素の位置関係を相対的に特定するものであって、必ずしも実際に室外側、室内側に位置することを意味しない。
【００１６】
図３に示すように、上枠２は、室外側見付面２０と、室内側見付面２１と、室外側下面部２２と、室内側下面部２３と、を備え、室内側下面部２３は室外側下面部２２よりも下方に位置しており、室外側下面部２２の後側部位と室内側下面部２３の前側部位との連結部には凹部２４が形成されており、凹部２４には気密部材２５が嵌入されている。全閉状態にある扉体６の上面６４は室外側下面部２２に対向しており、室内側下面部２３は扉体６の室内側に位置している。
【００１７】
下枠３は、室外側見付面３０と、室内側見付面３１と、室外側上面部３２と、室内側上面部３３と、を備え、室内側上面部３３は室外側上面部３２よりも上方に位置しており、室外側上面部３２の後側部位と室内側上面部３３の前側部位との連結部には凹部３４が形成されており、凹部３４には気密部材３５が嵌入されている。全閉状態にある扉体６の下面６５は室外側上面部３２に対向しており、室内側上面部３３は扉体６の室内側に位置している。
【００１８】
図２に示すように、戸先側縦枠４は、室外側見付面４０、室内側見付面４１、室外側見込面４２、室内側見込面４３、を備え、室内側見込面４３は室外側見込面４２よりもドア開口部内側に位置しており、室外側見込面４２の後側部位と室内側見込面４３の前側部位との連結部には凹部４４が形成されており、凹部４４には気密部材４５が嵌入されている。全閉状態にある扉体６の戸先側見込面６２は室外側見込面４２に対向しており、室内側見込面４３は扉体６の室内側に位置している。
【００１９】
戸尻側縦枠５は、室外側見付面５０、室内側見付面５１、室外側見込面５２、室内側見込面５３、を備え、室内側見込面５３は室外側見込面５２よりもドア開口部内側に位置しており、室外側見込面５２の後側部位と室内側見込面５３の前側部位との連結部には凹部５４が形成されており、凹部５４には気密部材５５が嵌入されている。全閉状態にある扉体６の戸尻側見込面６３は室外側見込面５２に対向しており、室内側見込面５３は扉体６の室内側に位置している。
【００２０】
戸先側縦枠４の室外側部位は、室外側見込面４２の先端（室外側端部）からドア開口部から離間するように見付方向に延出する第１室外側見付片４０Ａと、第１室外側見込片４０Ａの先端から室外側へ見込方向に延出する第１見込片４０Ｂと、第１見込片４０Ｂの先端からドア開口部から離間するように（第１見付片４０Ａとは反対側に）見付方向に延出する第２室外側見付片４０Ｃと、第２室外側見付片４０Ｃの先端から室内側へ見込方向に延出する第２見込片４０Ｄと、からなる。戸先側縦枠４の室外側見込面４０は、第１室外側見付片４０Ａと第２室外側見付片４０Ｃとから段部状に形成されている。戸先側縦枠４の第２室外側見付片４０Ｃは上枠２の室外側見付面２０と面一である。
【００２１】
扉体６は、室外側見付面６０、室内側見付面６１、戸先側見込面６２、戸尻側見込面６３、上面６４、下面６５と、を備えている。扉体６は、戸尻側がヒンジ５ａを介して上下枠２、３の戸尻側（吊元側）に回動可能に取り付けられている。室外側見付面６０の戸先側には開口部から離間するように見付方向に突出する突片６００が形成されている。
【００２２】
エントランスパネル１は、室外側見付面となる面部１０と、面部１０の幅方向端部から室内側へ見込方向に延出する左右の側面１１、１２と、上面１３と、下面１４、とを備えている。図３に示すように、エントランスパネル１の上面１３は、ドア枠の上枠２の上端と一致している。エントランスパネル１の下面１４の高さ位置については２つの態様がある。図示の態様では、エントランスパネル１の下面１４はドア枠の下枠３の下端と一致しているが、エントランスパネル１の下面１４を、下枠３の上面と略一致させてもよい。
【００２３】
図４に示すように、左右の側面１１、１２のうち扉体６の戸先側に近接する側（以下、「戸先側」と言う）の側面１１の高さ方向の上下端部、上面１３の戸先側端部、下面１４の戸先側端部は部分的に切り欠かれている。これらの切り欠きは、ドア枠の戸先側の上下のコーナー部、すなわち、上枠２の戸先側端部と戸先側縦枠４の上端部、下枠３の戸先側端部と戸先側縦枠４の下端部、に対応している。
【００２４】
図３に示すように、戸先側の側面１１の上端部位の切り欠きは、垂直片１１０と水平片１１１により画定されており、垂直片１１０が上枠２の室外側見付面２０に近接ないし当接しており、水平片１１１が上枠２の室外側下面部２２に下方から近接ないし当接している。側面１１の下端部位の切り欠きは、垂直片１１２と水平片１１３により画定されており、垂直片１１２が下枠３の室外側見付面３０に近接ないし当接しており、水平片１１３が下枠３の室外側上面部３２に上方から近接ないし当接している。すなわち、側面１１の上側の水平片１１１と下側の水平片１１３の間の高さは、上枠２（室外側下面部２２）と下枠３（室外側上面部３２）との間の寸法と略同じ（前者が僅かに小さい）である。したがって、エントランスパネル１の側面１１（上側の水平片１１１、下側の水平片１１３）を上枠２（室外側下面部２２）と下枠３（室外側上面部３２）との間に差し込むことによって、エントランスパネル１の上下の位置決めが行なわれる。
【００２５】
上面１３の戸先側端部の切り欠きは、見付片１３０と見込片１３１により画定されており、見付片１３０が上枠２の室外側見付面２０に近接ないし当接しており、見込片１３１が上枠２の戸先側見込面２６に近接ないし当接している。上面１３の戸先側端部を切り欠くことで、エントランスパネル１の上面１３と上枠２の上面を面一にすることができる（図１１参照）。下面１４の戸先側端部の切り欠きも、類似の構成を取り得ることが当業者に理解される。
【００２６】
エントランスパネル１の下面１４が下枠３の上面と一致している態様では、左右の側面１１、１２のうち扉体６の戸先側に近接する側の側面１１の上端部、上面１３の戸先側端部、下面１４の戸先側端部は切り欠かれているが、側面１１の下端部には切り欠きは形成されていない。側面１１の下端は下枠３の室外側上面部３２上に載ることになる。したがって、図４に示す態様と同様に、エントランスパネル１の側面１１（上側の水平片１１１、側片１１の下端）を上枠２（室外側下面部２２）と下枠３（室外側上面部３２）との間に差し込むことによって、エントランスパネル１の上下の位置決めが行なわれる。
【００２７】
図１と図４を対比することで明らかなように、エントランスパネル１の面部１０には、照明１ａが装着される部位に配線用の開口孔１０ａが、室名札１ｂが装着される部位には室名札取付用開口１０ｂが、インターフォン１ｃが装着される部位にはインターフォン取付用開口１０ｃがそれぞれ形成されている。また、図９に示すように、壁面Ｗには、開口孔１０ａに対応して開口１０ａ´、インターフォン取付用開口１０ｃに対応して開口１０ｃ´が形成されている。
【００２８】
エントランスパネル１の面部１０の室名札取付用開口１０ｂには、裏面から室名札取付用プレート１５が固定されている。図６に示すように、取付用プレート１５は、面部１０の裏面に固定（溶接、接着等）される左右の固定片１５０、１５１と、壁面Ｗに当接する底片１５２と、から平面視ハット状に形成されている。底片１５２には左右に離間させて２つの螺子孔１５３が形成されている。螺子孔１５３は、左右方向（水平方向）に横長の長孔である。底片１５２には、左右の螺子孔１５３間に位置させて室名札１ｂ（マグネットとなっている）を磁着するための室名札取付部１５４が突設されている。底片１５２には、左右に離間させて２つのジャッキアップボルト１５５が設けてあり、底片１５２を壁面Ｗに当接させる際に、壁面Ｗの左右方向の不均一を調整できるようになっている。螺子Ｓ３を螺子孔１５３からねじ込むことでエントランスパネル１が、エントランスパネル１に固定されている取付用プレート１５を介して壁面Ｗに固定される。
【００２９】
エントランスパネル１の面部１０のインターフォン取付用開口１０ｃには、開口１０ｃの下端に対応する高さに位置させて、裏面からインターフォン取付用プレート１６が固定されている。図７に示すように、取付用プレート１６は、面部１０の裏面に固定（溶接、接着等）される左右の固定片１６０、１６１と、壁面Ｗに当接する底片１６２と、から平面視ハット状に形成されている。底片１６２には左右に離間させて２つの螺子孔１６３が形成されている。螺子孔１６３は、左右方向（水平方向）に横長の長孔である。底片１６２には、左右の螺子孔１５３間に位置させてインターフォン取付部１６４が突設されており、インターフォン取付部１６４には磁石Ｍが装着されている。底片１６２には、左右に離間させて２つのジャッキアップボルト１６５が設けてあり、底片１６２を壁面Ｗに当接させる際に、壁面Ｗの左右方向の不均一を調整できるようになっている。螺子Ｓ４を螺子孔１６３からねじ込むことでエントランスパネル１が、エントランスパネル１に固定されている取付用プレート１６を介して壁面Ｗに固定される。
【００３０】
エントランスパネル１の面部１０のインターフォン取付用開口１０ｃには、開口１０ｃの上端に対応する高さに位置させて、裏面からインターフォン取付用プレート１７が固定されている。取付用プレート１７は、面部１０の裏面に固定（溶接、接着等）される左右の固定片１７０、１７１を備え、左右方向の中央に磁石Ｍが装着されている。
【００３１】
エントランスパネル１が取付けられる壁面Ｗには、エントランスパネル１の上下端部に対応する高さに位置させて、仮固定用の取付ベース７が固定されている。図５に示すように、取付ベース７は、面部７０と、面部７０の幅方向左右両端から対向状に立ち上がる側片７１、７２と、面部７０に形成された凸部７３と、を備え、凸部７３には面ファスナー８が設けてある。取付ベース７は面部７０を壁面Ｗに当接させて螺子Ｓ１で固定されている。面部７０には、左右に離間させて２つのジャッキアップボルト７４が設けてあり、面部７０を壁面Ｗに当接する際に、壁面Ｗの左右方向の不均一を調整できるようになっている。図４に示すように、エントランスパネル１の面部１０の裏面の上下端部には、壁面Ｗに設けた上下の面ファスナー８に着脱可能に面着するための面ファスナー８が設けてある。
【００３２】
エントランスパネル１の面部１０の裏面には、新聞受け１０ｃの高さに位置して係止片１８が取付けられている。図１０に示すように、係止片１８は、エントランスパネル１の面部１０の裏面に当接する取付片１８０と、取付片１８０の下端から面部１０の裏面から離間するように下方に傾斜状に延出する傾斜片１８１と、傾斜片１８１の下端から下方に垂下する垂直片１８２と、からなる。係止片１８は、新聞受け１ｃを構成する支軸１０ｃを取り付ける螺子Ｓ５を用いて取付けられている。
【００３３】
エントランスパネル１が取付けられる壁面Ｗには、エントランスパネル１の新聞受け１ｃに対応する高さに位置させて、係止片１８が係止する被係止片９が固定されている。被係止片９は、壁面Ｗに当接する取付片９０と、取付片９０の上端から水平状に延出する水平片９１と、水平片９１の先端から上方に立ち上がる垂直片９２と、からなる。
【００３４】
開口部全閉状態では、図２に示すように、扉体６の戸先側見込面６２は戸先側縦枠４の室外側見込面４２に対向しており、扉体６の戸先側の突片６００は、エントランスパネル１の側面１１に対向している。突片６００の先端と側面１１との隙間がいわゆるドアの戸先側の「チリ」となっている。エントランスパネル１の面部１０の戸先側部位は、戸先側縦枠４の室外側部位の第２室外側見付片４０Ｃを覆うようにこれを越えて延出しており、側面１１の先端は、戸先側縦枠４の室外側部位の第１室外側見付片４０Ａに近接しており、側面１１の内側面と戸先側縦枠４の室外側部位の第１見込片４０Ｂとの間には隙間が形成されている。エントランスパネル１の面部１０の戸先側部位とは反対側の部位において、側面１２の内側面と取付ベース７の側片７２との間には隙間が形成されている。
【００３５】
図２に示すように、エントランスパネル１の側面１１の先端は扉体６の突片６００、戸先側縦枠４の第２室外側見付片４０Ｃを越えて、室内側へ延出している。結果として、側面１１の先端はドア枠の上下枠２、３の間に位置することになる。側面１１の先端（水平片１１１、１１３間の部分）が上下枠２、３の間に位置していることは図３から明らかである。エントランスパネル１の取付時において、エントランスパネル１の側面１１の部分を上枠２と下枠３との間に差し込んでエントランスパネル１の上下の位置決めをした状態で、エントランスパネル１は左右方向（幅方向）に移動可能となっており、ドアの戸先側のチリ寸法を微調整することができる。
【００３６】
エントランスパネル１の幅寸法、具体的には、左右の側片１１、１２間の寸法は、取付ベース７の幅寸法（側片７１、７２間の寸法）＋第２室外側見付片４０Ｃの幅寸法＋αであり、エントランスパネル１は、上下の位置決めをした状態で、寸法αの範囲内で左右方向に移動可能となっている。また、エントランスパネル１の面部１０の裏面側に固定した取付プレート１５、１６の底片１５２、１６２の幅寸法は、エントランスパネル１の左右方向の移動を妨げないような寸法に設計されている。
【００３７】
上記のように構成されたエントランスパネル１の取り付けについて説明する。先ず、壁面Ｗの所定位置に上下の仮固定用の取付ベース７、被係止片９を固定する。図８に示すように、取付ベース７の上端をドア枠の上枠２の上面に一致させ、側片７１を戸先側縦枠４の第２見込片４０Ｄ（図５参照）に当接させて、螺子Ｓ１で固定する。エントランスパネル１の新聞受け１ｄの裏面に設けた係止片１８に対応する高さに被係止片９を螺子Ｓ２で固定する。
【００３８】
次いで、エントランスパネル１の面部の裏面の係止片１８を壁面Ｗの被係止片９に引っ掛けるように上から差し込む（図９、図１０）。係止片１８と被係止片９との掛止は、仮固定時のエントランスパネル１の倒れを防止し、また、エントランスパネル１の取付後にエントランスパネルの新聞受け１ｄに下方に向かう力が作用した場合に、この力を受けるためのものである。係止片１８が被係止片９に掛止した状態で、エントランスパネル１は左右方向に移動可能である。
【００３９】
そして、エントランスパネル１の側面１１の部分を、上枠２、下枠３間に差し込むことで上下の位置決めを行なう。上下の位置決めを行なった状態で、エントランスパネル１を左右に動かして、左右方向の位置決めを行なう（図１１(1)）。左右方向の位置が決まったら、エントランスパネル１の上下端部を面ファスナー８によって壁面Ｗに仮固定する（図１１(2)）。エントランスパネル１の上下端部をそれぞれ面ファスナー８を用いて壁面Ｗに設けた取付ベース７に面着するようにしたので、取付ベース７の取付作業（位置出し）が容易であると共に、エントランスパネル１の位置が左右方向に異なっても良好に仮固定を行なうことができる。また、必要であれば、仮固定後に面着状態を解除して、再度左右方向の位置調整を行なうことができる。
【００４０】
面ファスナー８を用いてエントランスパネル１を壁面Ｗに仮固定した後に、取付用プレート１５の底片１５２に形成された螺子孔１５３、取付用プレート１６の底片１６２に形成された螺子孔１６３から、それぞれ螺子Ｓ３、Ｓ４を壁面Ｗにねじこむことで、エントランスパネル１を壁面Ｗに固定する。最後に、螺子Ｓ３、Ｓ４を隠蔽するように室名札１０ｂ（磁石を構成する）を、室名札取付部１５４に磁着し、螺子Ｓ４を隠蔽するようにインターフォン１ｃの前面パネルの裏面の上下端部を、それぞれ取付用プレート１７、インターフォン取付部１６４に装着した磁石に吸着させる。
【００４１】
エントランスパネル１を壁面Ｗに固定する螺子Ｓ３、Ｓ４を受け入れる螺子孔１５３、１６３は、左右方向（水平方向）に横長の長孔となっているため、エントランスパネル１の取付後においても、一定の外力によって長孔を介してエントランスパネル１の移動が許容される。したがって、戸先側の隙間（突片６００の先端と側面１１との隙間）を小さく設定して意匠性を向上させるものでありながら、エントランスパネル１をドア開口から離間する方向に移動させて上記隙間を拡大する（耐震ドアの条件を満たすように）ことができる。
【産業上の利用可能性】
【００４２】
本発明は、エントランスパネルの取り付けに用いることができる。
【符号の説明】
【００４３】
１  エントランスパネル
１０  面部
１１  側面
２  上枠
３  下枠
４  戸先側縦枠
８  面ファスナー
Ｓ３、Ｓ４  螺子
Ｗ  壁面
【図１】
0005412187.tif 000002
【図２】
0005412187.tif 000003
【図３】
0005412187.tif 000004
【図４】
0005412187.tif 000005
【図５】
0005412187.tif 000006
【図６】
0005412187.tif 000007
【図７】
0005412187.tif 000008
【図８】
0005412187.tif 000009
【図９】
0005412187.tif 000010
【図１０】
0005412187.tif 000011
【図１１】
0005412187.tif 000012
【図１２】
0005412187.tif 000013